(57)【要約】      （修正有）【課題】踵部の着用感を損なわず、かつ編成以外の工程を必要とせずに、踵部が脱げることを抑制可能なフットカバーを提供する。【解決手段】本発明のフットカバー１００は、踵部に外方へ突出する膨出部２を備え、膨出部２は、コース方向の両端で編糸が折り返すとともにつま先側から履き口側に向かって徐々にコース方向の編み幅が縮小する膨出部下側部２１と、膨出部下側部２１の履き口側に連続し、コース方向の両端で編糸が膨出部下側部２１の両端に編合されて折り返すとともにつま先側から履き口側に向かって徐々にコース方向の編み幅が拡大する膨出部上側部２２とを有し、膨出部上側部２２は、ゴム糸がコース方向の両端で折り返しながら挿入された締付部２３を含む。【選択図】図１
2018090916.tif 000002
【特許請求の範囲】
【請求項１】
踵部に外方へ突出する膨出部が設けられたフットカバーであって、
前記膨出部は、コース方向の両端で編糸が折り返すとともにつま先側から履き口側に向かって徐々にコース方向の編み幅が縮小する膨出部下側部と、前記膨出部下側部の履き口側に連続して設けられ、コース方向の両端で編糸が前記膨出部下側部両端に編合されて折り返すとともにつま先側から履き口側に向かって徐々にコース方向の編み幅が拡大する膨出部上側部とを備え、
前記膨出部上側部は、ゴム糸がコース方向の両端で折り返しながら挿入、又は編入された締付部を有することを特徴とするフットカバー。
【請求項２】
甲側と足底側とを画する左右一対の側線を備え、
前記締付部は、コース方向の両端部が甲側に設けられている請求項１に記載のフットカバー。
【発明の詳細な説明】
【技術分野】
【０００１】
この発明は、横編み機で編成される靴下類のうち、スニーカーやパンプスの内部に全部、又は大部分が隠れてしまういわゆるフットカバーに関し、特に、履き口部に連続して踵部のゴアラインが設けられる踵付のフットカバーに関する。
【背景技術】
【０００２】
フットカバーと呼ばれる履き口の低い靴下は、履き口周縁にゴム糸を配設するスペースが乏しいことから、履き口周りの締付力を十分に確保できず、歩行時に靴との摩擦で踵が引っ張られた際に脱げ易いという問題が有り、これを解消するために各種の提案がなされている。
【０００３】
例えば、特許文献１では、踵部における扇状の編成部（後述する膨出部）を複数設けることにより、踵部を大きく膨らむように、かつ履き口が踵の真上よりもややつま先側に寄るように編成したスポーツ用靴下が提案されている。
【０００４】
また、特許文献２では、履き口の上縁を折り返し、折り返した部分に伸縮性細幅生地を内包させることにより、踵部を脱げにくくしたフットカバーが提案されている。
【先行技術文献】
【特許文献】
【０００５】
【特許文献１】公開実用昭和５６−１５６８０６号公報
【特許文献２】特開２０１５−１５８０３１号公報
【発明の概要】
【発明が解決しようとする課題】
【０００６】
しかし、特許文献１のように、踵を大きく膨らませてしまうと、踵側の編地がだぶついて着用感を損なうという問題が有る。
また、特許文献２では、靴下の編成工程に加えて、履き口を折り返して伸縮性細幅生地を内包させる工程を必要とするため、手間がかかってコスト高になるという問題が有る。
本発明は、かかる課題に鑑みてなされたものであり、踵部の着用感を損なわず、かつ滑り止めやずれ防止のための構成を、編成により設けることが可能なフットカバーの提供を目的とする。
【課題を解決するための手段】
【０００７】
上記課題を解決するためになされた発明は、踵部に外方へ突出する膨出部が設けられたフットカバーであって、前記膨出部は、コース方向の両端で編糸が折り返すとともにつま先側から履き口側に向かって徐々にコース方向の編み幅が縮小する膨出部下側部と、前記膨出部下側部の履き口側に連続して設けられ、コース方向の両端で編糸が前記膨出部下側部両端に編合されて折り返すとともにつま先側から履き口側に向かって徐々にコース方向の編み幅が拡大する膨出部上側部とを備え、前記膨出部上側部は、ゴム糸がコース方向の両端で折り返しながら挿入、又は編入された締付部を有することを特徴とする。
ここで、「つま先側」とは、フットカバーを着用した状態における着用者のつま先側をいい、本発明のフットカバーに、必ずつま先部分が存在することを意味するものではなく、本発明は、つま先部分を有さないフットカバーをも含む。
ここで、「ゴム糸」とは、弾性を有する糸をいうものとし、「編入」とは、ゴム糸でループを設けるように編み込むことをいうものする。
【０００８】
本発明のフットカバーは、上述したように、膨出部上側部にゴム糸をコース方向の両端で折り返すようにして挿入、又は編入した締付部を設けたので、踵部の形状を損なうことなく踵部の脱げ難さを確保することができ、踵部の着用感を損なうことがない。また、当該締付部は、横編み機で膨出部を編成する際に併せて編成可能であるため、製作コストを効果的に抑制できる。
【０００９】
本発明のフットカバーは、甲側と足底側とを画する左右一対の側線を備え、前記締付部は、コース方向の両端部が甲側に設けられていることが好ましい。こうすることで、より脱げにくいフットカバーを提供できる。
【発明の効果】
【００１０】
以上、説明したように、本発明のフットカバーによれば、踵部の着用感を犠牲にすることなく、また、滑り止めやずれ防止のための構成を編成により設けることが可能となる。
【図面の簡単な説明】
【００１１】
【図１】本発明の一の実施形態に係るフットカバーの斜視図である。
【図２】図１に示したフットカバーを甲側から見た平面図である。
【図３】図１に示したフットカバーを足底側から見た底面図である。
【図４】図１に示した締付部の編成方法を示す編成図である。
【発明を実施するための形態】
【００１２】
以下、適宜図面を用いながら本発明の一の実施形態について詳述する。ただし、本発明は以下の実施形態に限られるものではない。本発明のフットカバー１００は、前後で一対のニードルベッドを備えた横編み機を用いて編成され、図１に示すように、履き口部１と、踵部２と、フット部３と、つま先部４とを備える他、甲側７と足底側８を画する左右一対の側線５１，５２を備えている。側線５１，５２は、前側のニードルベッドで編成する甲側７と後側のニードルベッドで編成される足底側８の間に生じる折れ線である。
本実施形態では、踵部２は、膨出部を１つのみ備え、踵部２はこの膨出部のみからなるため、以後踵部２を膨出部２と称することとする。フットカバー１００は、表糸に綿糸を、裏糸にポリウレタン糸を芯糸としてナイロン糸等でカバリングしたシングルカバリングヤーン（以下、「ＳＣＹ」ともいう。）を添えて地糸として地編組織が編成され、履き口部１と締付部２３においては、地編組織に、さらにポリウレタン糸を芯糸とするダブルカバリングヤーン（以下、「ＤＣＹ」ともいう。）からなるゴム糸が挿入されている。ただし、ゴム糸としては、十分な弾性を有する糸であれば、ポリウレタン糸を芯糸とするＤＣＹに限らず、芯糸が天然ゴム糸であってもよいし、ＳＣＹであってもよく、公知の糸を適宜に用いることができる。
【００１３】
履き口部１は、ゴム編、又はリブ編からなる地糸にゴム糸を挿入した挿入編組織を有している。
【００１４】
膨出部（踵部）２は、履き口部１の後側（図２、図３の上側）において、履き口部１の基端縁１ａに連続して設けられる。膨出部２は、図１に示すように、膨出部下側部２１と膨出部上側部２２とからなり、膨出部上側部２２は、締付部２３とゴム無し部２４とからなる。膨出部上側部２２の編地のコース方向の両端は、膨出部下側部２１の編地のコース方向の両端に編合されて、左右１対のゴアライン６１，６２が形成されている。ゴアライン６１，６２は、履き口部１の前側の基端縁１ａに始点６ａを有し、始点６ａから下方かつ後方へ斜めに延出し、側線５１，又は５２と交差して、足底側８に終点６ｂを有している。
【００１５】
膨出部下側部２１は、つま先側から履き口側に向かって、編地のコース方向の幅を縮小しがら、かつ、コース方向の両端となるゴアライン６１，６２で折り返しながら、天竺編に編成されている。膨出部下側部２１は、つま先側では、甲側部分２１ｂから足底側部分２１ａに跨る幅に設けられ、履き口側では、足底側部分２１ａのみに収まる幅に設けられている。
【００１６】
膨出部上側部２２は、履き口側の複数コースからなる締付部２３と、締付部２３よりつま先側となるゴム無し部２４とを有し、ゴム無し部２４、及び締付部２３を通して、つま先側から履き口側に向かって、編地のコース方向の幅を拡大しがら、かつ、コース方向の両端となるゴアライン６１，６２で折り返しながら、天竺編に編成されている。
【００１７】
締付部２３は、地糸で編成された天竺編の地組織に、ゴム糸からなる弾性糸がコース方向の両端となるゴアライン６１，６２で折り返しながら挿入されている。締付部２３は、履き口部１の基端縁１ａに沿って、側線５１，５２を跨ぐ略Ｃ字状に設けられ、両端部２３ｂがフットカバー１００の甲側７に、中間部２３ａが足底側８に配設されている。
【００１８】
ゴム無し部２４は、つま先側では足底側８に位置する中間部２４ａのみに収まる幅に設けられ、履き口側では甲側７に位置する両端部２４ｂから中間部２４ａに跨る幅に設けられている。
【００１９】
締付部２３は、図４に示した編成図により編成される。図４は、フットカバー１００をつま先側から編成する場合を示しており、締付部２３は、ゴム無し部２４に続けて編成される。図４中、ニードルベッドの欄の符号Ｆは前側のニードルベッドを示し、符号Ｂは、後側のニードルベッドを示す。進行方向の欄の矢印は、キャリッジの進行方向を示し、編成方法の欄の記号○は、地糸を給糸してニット操作を行うことを示し、編糸の欄の「地糸」や「ゴム糸」は編成に用いる糸を示し、場所の欄の「甲」、「足底」は、それぞれフットカバーの甲側７、足底側８を編成することを示している。記号▲は、ゴム糸を給糸してタック操作を行うことを示し、編針の欄の符号ａから符号ｂｂは、編針の位置を示している。
尚、フットカバー１００の締付部２３以外の部分の編成は、公知の方法により行なわれるため、説明を省略する。
【００２０】
締付部２３の編成は、図４に示すように、まず、工程Ｓ１において、キャリッジを左行させながら、後側のニードルベッドＢの編針ｂｂから編針ａの全針に地糸を給糸してニット（○）操作を行い、中間部２３ａとなる半周分のコースを天竺編に編成する。
続けて、工程Ｓ２において、同じくキャリッジを左行させながら、後側のニードルベッドＢにゴム糸を給糸して、編針ｂｂから編針ａまで、１針置きにミス（━）操作とタック（▲）操作を交互に繰り返し、工程Ｓ１で編成した天竺編のコースにゴム糸を挿入する。
【００２１】
次に、工程Ｓ３では、キャリッジを右行させながら、前側のニードルベッドＦの編針ａから編針ｄまでの全針に地糸を給糸してニット（○）操作を行って、甲側７に位置する締付部２３の両端部２３ｂとなる部分を天竺編に編成する。
続けて、工程Ｓ４において、同じくキャリッジを右行させながら、前側のニードルベッドＦにゴム糸を給糸して、編針ａでミス（━）操作を、編針ｂでタック（▲）操作を、編針ｃから編針ｅまでミス（━）操作を行って、工程Ｓ３で編成した天竺編のコースにゴム糸を挿入する。
こうして、工程Ｓ１から工程Ｓ４により、一方の側線５１から足底側８（中間部２３ａ）を半周したのち他方の側線５２を跨いで他方のゴアライン６２まで達する天竺編の地糸のコースにゴム糸が挿入されたコースＣ１を編成する。
【００２２】
コースＣ１の編成が終了したら、工程Ｓ５において、キャリッジを左に折り返し、前側ニードルベッドＦの編針ｅに給糸してタック（△）操作を行って、コースＣ１、及び次に編成するコースＣ２の他端を、膨出部下側部２１の他端に他方のゴアライン６２上で連結する。続けて、そのままキャリッジを左行させながら、前側のニードルベッドＦの編針ｄから編針ａの全針に地糸を給糸してニット（○）操作を行い、他方のゴアライン６２から他方の側線５２までの間の両端部２３ｂとなるコースを天竺編に編成する。続けて工程Ｓ６で、キャリッジを左行させながら前側のニードルベッドＦの編針ｅから編針ａのうち、編針ｂではタック（▲）操作を行い、その他の編針ｅ，ｄ，ｃ，ａでは、ミス（━）操作を行って、工程Ｓ５で編成した天竺編の地糸のコースにゴム糸を挿入する。工程Ｓ７では、キャリッジを折り返して右行させ、後側ニードルベッドＢの全針に地糸を給糸して、他方の側線５２と一方の側線５１の間の中間部２３ａとなる半周のコースを天竺編に編成し、工程Ｓ８では、同じく後側のニードルベッドＢにゴム糸を給糸して、全針に亘ってタック（▲）操作とミス（━）操作を繰り返して、工程Ｓ７で編成した天竺編のコースにゴム糸を挿入する。そして、工程Ｓ９では、キャリッジを折り返して左行させ、前側のニードルベッドＦに地糸を給糸して、工程Ｓ３、及びＳ５と同様に端から４針（編針ｂｂ，ａａ，ｚ，ｙ）でニット（○）操作を行って、一方の側線５１から一方のゴアライン６１までのコースを天竺編に編成し、続く編針ｙにおいて、ミス（━）操作を行う。そして、工程Ｓ１０では、キャリッジを左行させながら、編針ｂｂ，ｚにゴム糸を給糸してタック（▲）操作を行って、編針ａａ、ｙ、ｘでミス（━）操作を行って、工程Ｓ９で編成した天竺編のコースにゴム糸を挿入する。こうして、工程Ｓ５から工程Ｓ１０により、他方のゴアライン６２から甲側７（両端部２３ｂ）を通って他方の側線５２を跨いだのち，足底側８を通って一方の側線５１を跨ぎ、甲側７（両端部２３ｂ）を通って一方のゴアライン６１に至る地糸による天竺編のコースにゴム糸を挿入編したコースＣ２を編成する。
【００２３】
続く工程Ｓ１１から工程Ｓ１６では、上述した工程Ｓ５から工程Ｓ１０とキャリッジの進行方向を逆にして同様の機械操作を行い、コースＣ３を編成する。この際、工程Ｓ１５で、工程Ｓ５よりも１針多く編針ａから編針ｆまでニット（○）操作を行って、コースＣ３の両端部２３ｂを通る部分の長さをコースＣ２よりも長く編成する。
【００２４】
以下同様にして、工程Ｓ１７から工程Ｓ３８において、徐々に両端部２３ｂを通る部分を長くしながら、コースＣ４からコースＣ７を編成する。
コースＣ７の編成が終了したら、履き口部１を編成する。
本実施形態では、締付部２３は、７コースからなるが、６コース未満でもよいし８コース以上であってもよい。
【００２５】
このように、本実施形態に係るフットカバー１００では、膨出部（踵部）２の膨出部上側部２２に設けた締付部２３において、締付部両端のゴアライン６１，６２で折り返すようにしてゴム糸を挿入したので、フットカバー１００を脱げないようにする締付力を確保するのに十分なコース数だけゴム糸を挿入することができる。
【００２６】
本発明は、上記の実施形態に限られるものではなく、例えば、踵部に膨出部をウエール方向に並べて２つ以上設けてもよく、その場合は、履き口に近い方の膨出部上側部に締付部を設けるとよい。また、締付部は、膨出部上側部の履き口側端縁に限らず、履き口側端縁からつま先側へ、１、又は複数コース離して設けるようにしてもよい。膨出部上側部に複数個所の締付部を設けてもよいし、膨出部上側部全体を締付部とすることもできる。
ゴム糸は、挿入編に限らず、地糸にゴム糸を添えて、あるいは、ゴム糸単独でループを形成するように編入してもよい。
【符号の説明】
【００２７】
フットカバー１００
踵部（膨出部）２
履き口１
膨出部下側部２１
膨出部上側部２２
締付部２３
甲側７
足底側８
側線５１，５２
両端部２３ｂ
【図１】
2018090916.tif 000003
【図２】
2018090916.tif 000004
【図３】
2018090916.tif 000005
【図４】
2018090916.tif 000006